【手続補正書】
【提出日】平成26年6月25日(2014.6.25)
【手続補正１】
【補正対象書類名】明細書
【補正対象項目名】００６７
【補正方法】変更
【補正の内容】
【００６７】
図７に、中間貯蔵システム３０の他の一実施形態を示す。スタック式の貯蔵システムとして構成された図７の中間貯蔵システム３０は、循環型の原理で動作する。２つのトレイスタックは常に同じ高さであり、右側のスタックにトレイが供給されるのに合わせて、同じ右側のスタックの上からトレイが取り出され、このトレイが紙面の左側のトレイスタックの上に配置される。循環型で動作するスタック式の貯蔵システムでは、往来型で動作するスタック式の貯蔵システムに比べて、全体的な容積が同じままで、２倍の個数の缶を貯蔵することができる。
なお、本発明は、実施の態様として以下の内容を含む。
［態様１］
缶（１１）、好ましくは塗装されていない缶（１１）を、一時的に貯蔵する装置（１）であって、
供給用のコンベアシステム（２）と、
中間貯蔵システム（３０）と、
複数の缶（１１）を、前記コンベアシステム（２）から前記中間貯蔵システム（３０）へと同時に移動させるように構成及び制御されたハンドリングシステム（３）と、
を備える、一時貯蔵装置において、
前記供給用のコンベアシステム（２）が、送出用のコンベアシステムを同時に兼ねており、
前記ハンドリングシステム（３）が、複数の缶（１１）を、前記中間貯蔵システム（３０）から前記コンベアシステム（２）へと同時に移動させるように構成及び制御されており、
前記コンベアシステム（２）の上流に、第一の補助的な缶貯蔵部（８）と、缶（１１）を前記コンベアシステム（２）に移送することが可能な第一の移送装置（１２）とが設置されており、
前記コンベアシステム（２）の下流に、第二の補助的な缶貯蔵部（１５）と、缶（１１）を前記コンベアシステム（２）から前記第二の補助的な缶貯蔵部（１５）に移送することが可能な第二の移送装置（１７）とが設置されている、
ことを特徴とする、一時貯蔵装置。
［態様２］
態様１に記載の一時貯蔵装置において、前記第一の補助的な缶貯蔵部（８）および／または前記第二の補助的な缶貯蔵部（１５）が、チェーン式の貯蔵部（１００）として構成されており、好ましくは１０個未満、より好ましくは６個未満、さらに好ましくは３個未満、特に好ましくは単一個のキャリッジ（１０４）を備えており、前記キャリッジ（１０４）は、貯蔵用の有効チェーン長さを変更することができることを特徴とする、一時貯蔵装置。
［態様３］
態様１または２に記載の一時貯蔵装置において、前記第一の補助的な缶貯蔵部（８）に、供給用のコンベアライン（１３）から缶（１１）を当該第一の補助的な缶貯蔵部（８）に移送することができる第一の移送手段（１４）が付設されており、および／または、前記第二の補助的な缶貯蔵部（１５）に、当該第二の補助的な缶貯蔵部（１５）から缶（１１）を送出用のコンベアライン（１８）に移送することができる第二の移送手段（１９）が付設されていることを特徴とする、一時貯蔵装置。
［態様４］
態様１から３のいずれか一態様に記載の一時貯蔵装置において、前記コンベアシステム（２）が、互いに隣り合って設けられた複数の搬送用のポケット（６）を有するポケット型ベルトコンベア（５）として構成されており、好ましくは、前記複数の搬送用のポケット（６）の各ポケットが、単一個の缶（１１）を収容することができることを特徴とする、一時貯蔵装置。
［態様５］
態様１から４のいずれか一態様に記載の一時貯蔵装置において、前記第一の移送装置（１２）および／または前記第二の移送装置（１７）が、真空ドラムとして構成されていることを特徴とする、一時貯蔵装置。
［態様６］
態様１から５のいずれか一態様に記載の一時貯蔵装置において、当該装置により、まず、複数の缶（１１）を、互いに離間した状態で前記コンベアシステム（２）から取り出し、前記中間貯蔵システム（３０）のトレイ（２１）に互いに離間した状態で移動させ、前記トレイ（２１）上に横向きに缶（１１）同士が互いに離間した第一の缶列（２３）の形態で載置することができ、
次に、前記ハンドリングシステム（３）が、さらなる複数の缶（１１）を互いに離間した状態で前記コンベアシステム（２）から取り出し、前記中間貯蔵システム（３０）の前記トレイ（２１）に互いに離間した状態で移動させ、前記トレイ（２１）上に横向きに第二の缶列（２４）の形態で載置することができるように構成及び制御されており、前記第二の缶列（２４）は、前記第一の缶列（２３）に対して平行に、かつ前記第一の缶列（２３）の前方または後方に配置されることを特徴とする、一時貯蔵装置。
［態様７］
態様６に記載の一時貯蔵装置において、前記ハンドリングシステム（３）は、前記中間貯蔵システム（３０）の前記トレイ（２１）に前記缶（１１）列同士が互いに離間した状態で載置されるように構成及び制御されているか、あるいは、隣り合う缶（１１）列が缶の端面同士のみで互いに接するように構成及び制御されていることを特徴とする、一時貯蔵装置。
［態様８］
態様１から７のいずれか一態様に記載の一時貯蔵装置において、前記ハンドリングシステム（３）が、前記缶（１１）を保持する吸着手段（７）を有しており、前記吸着手段（７）は、特には、前記缶（１１）の、好ましくは印刷されていない側面を保持することを特徴とする、一時貯蔵装置。
［態様９］
態様１から８のいずれか一態様に記載の一時貯蔵装置において、前記吸着手段（７）間の間隔が調節可能であり、好ましくは自動調節可能であることを特徴とする、一時貯蔵装置。
［態様１０］
態様１から９のいずれか一態様に記載の一時貯蔵装置において、前記中間貯蔵システム（３０）が、スタック式の貯蔵システムとして構成されており、前記スタック式の貯蔵システムは、好ましくはトレイ（２１）が下から挿入されるトレイスタック（２０）を形成するように構成されていることを特徴とする、一時貯蔵装置。
［態様１１］
態様６から１０のいずれか一態様に記載の一時貯蔵装置において、前記トレイ（２１）が、互いに平行に且つ隣り合って設けられた複数の貯蔵スロット（２２）を有しており、前記複数の貯蔵スロット（２２）は、当該貯蔵スロット（２２）に直交する缶列の形態で載置される前記缶（１１）同士が互いに接触しないように構成されており、さらに、前記複数の貯蔵スロット（２２）は、各貯蔵スロット（２２）内の缶（１１）が当該貯蔵スロット（２２）の長手方向に沿って偏位可能となるように、当該貯蔵スロット（２２）の長手方向に連続的に延びていることを特徴とする、一時貯蔵装置。
［態様１２］
態様６から１１のいずれか一態様に記載の一時貯蔵装置において、前記トレイ（２１）に、全ての缶（１１）を、共通の水平面上に載置することができることを特徴とする、一時貯蔵装置。
［態様１３］
態様６から１２のいずれか一態様に記載の一時貯蔵装置において、前記ハンドリングシステム（３）が、複数の缶（１１）を互いに離間した状態で前記中間貯蔵システム（３０）のトレイ（２１）から取り出し、前記コンベアシステム（２）に互いに離間した状態で移動させ、当該コンベアシステム（２）に互いに離間した状態で載置するように構成及び制御されていることを特徴とする、一時貯蔵装置。
［態様１４］
缶（１１）、好ましくは塗装されていない缶（１１）を、一時的に貯蔵する方法、好ましくは、態様１から１４のいずれか一態様に記載の缶（１１）の一時貯蔵装置（１）を使用して実行される方法であり、
中間貯蔵部への充填を行うにあたって、ハンドリングシステム（３）により、複数の缶（１１）を供給用のコンベアシステム（２）から中間貯蔵システム（３０）へと同時に移動させる、一時貯蔵方法において、
前記供給用のコンベアシステム（２）を、送出用のコンベアシステム（２）を同時に兼ねるものとし、
前記中間貯蔵システム（３０）を空にするにあたって、前記ハンドリングシステム（３）により、複数の缶（１１）を前記中間貯蔵システム（３０）から前記コンベアシステム（２）上へと同時に移動させることを特徴とする、一時貯蔵方法。
［態様１５］
態様１４に記載の一時貯蔵方法において、缶間隔を詰めることを含み、当該缶間隔は、前記第一の移送装置（１２）によって詰められ、好ましくは、前記第一の移送手段（１４）によって詰められないことを特徴とする、一時貯蔵方法。
［態様１６］
態様１５に記載の一時貯蔵方法において、前記缶間隔を詰めるにあたって、前記コンベアシステム（２）を通常速度よりも低い速度、好ましくは０ｍ／秒を超える速度で作動させ、前記第一の移送装置（１２）により、前記第一の補助的な缶貯蔵部（８）での缶間隔を、移送位置を過ぎた後も維持し、前記第一の移送装置（１２）により、前記缶間隔に続く缶（１１）を、前記コンベアシステム（２）に通常速度よりも低い速度、特に通常速度よりも低い移送速度および／または回転速度で移送し、
好ましくは、その後、前記コンベアシステム（２）の速度を上昇させ、より好ましくは通常速度にまで上昇させ、また、前記第一の移送装置（１２）の速度を再び上昇させることを特徴とする、一時貯蔵方法。
［態様１７］
態様１５または１６に記載の一時貯蔵方法において、缶間隔を詰めるにあたって、前記第一の移送装置（１２）を、前記第一の移送手段（１４）よりも低い速度、特に前記第一の移送手段（１４）よりも低い移送速度および／または回転速度で作動させることを特徴とする、一時貯蔵方法。